(57)【要約】【課題】本発明は、より確実に複数の容器を一列に整列させつつ搬送することができる容器の整列搬送装置を提供することを目的とする。【解決手段】本発明は、複数の容器を一列に整列させつつ搬送する容器の整列搬送装置であって、前記容器を搬送する断面略Ｖ字状の搬送面を構成する一対の搬送ベルトと、該一対の搬送ベルトの両側であって、前記搬送面の延長線上に隣接して配置される一対の側板と、該側板表面に直交する軸線を中心に回動可能に支持されるとともに、該側板表面に平行に、かつ前記搬送ベルト側であって前記容器の搬送方向下流側に向けて斜めに延びるように配置される整列棒と、を備えることを特徴とする。【選択図】図６
2014005102.tif 000002
【特許請求の範囲】
【請求項１】
複数の容器を一列に整列させつつ搬送する容器の整列搬送装置であって、
前記容器を搬送する断面略Ｖ字状の搬送面を構成する一対の搬送ベルトと、
該一対の搬送ベルトの両側であって、前記搬送面の延長線上に隣接して配置される一対の側板と、
該側板表面に直交する軸線を中心に回動可能に支持されるとともに、該側板表面に平行に、かつ前記搬送ベルト側であって前記容器の搬送方向下流側に向けて斜めに延びるように配置される整列棒と、
を備えることを特徴とする容器の整列搬送装置。
【請求項２】
前記整列棒は、前記容器の搬送方向上流側に位置する前面が該整列棒の軸直断面において楕円弧状の曲面からなる請求項１記載の容器の整列搬送装置。
【請求項３】
前記側板表面に直交する軸線を中心に回動可能に支持されるとともに、該側板表面に平行に、かつ前記搬送ベルト側であって前記容器の搬送方向下流側に向けて斜めに延びるように配置され、前記容器の搬送方向上流側に位置する前面が前記側板表面に対し略垂直な平面からなる整列板を、前記整列棒よりも前記容器の搬送方向上流側に備える請求項１又は２記載の容器の整列搬送装置。
【請求項４】
前記整列板は、前記平面からなる前面及び前記搬送ベルト側先端で前記容器に抵抗を与える一方、前記整列棒は、前記曲面からなる前面及び前記搬送ベルト側先端で前記容器に抵抗を与えるとともに、前記曲面からなる前面に掬われるようにして該整列棒に乗り上げる容器に当該整列棒の上面で抵抗を与える請求項１乃至３の何れか一項記載の容器の整列搬送装置。
【請求項５】
前記整列棒は、前記容器の搬送方向に向けて前記一対の側板上に交互に複数支持される請求項１乃至４の何れか一項記載の容器の整列搬送装置。
【発明の詳細な説明】
【技術分野】
【０００１】
本発明は、容器の整列搬送装置に関し、特にガラスびんを整列させつつ搬送するのに用いて好適な容器の整列搬送装置に関する。
【背景技術】
【０００２】
従来、使用済みガラスびんを選別装置によって色別等に選別するに際し、前記選別装置の前段に整列装置を配置し、該整列装置によってガラスびんを一列に整列させることが行われている（特許文献１を参照。）。
【０００３】
図８は、特許文献１に記載されたガラスびん整列コンベア装置の概略説明図であって、（ａ）は要部平面図、（ｂ）は（ａ）のＣ−Ｃ方向から見た図を示す。
特許文献１に記載されたガラスびん整列コンベア装置２１は、互いに逆方向に傾斜することにより断面略Ｖ字状の搬送面を形成し左下方から右上方に向かってガラスびんを搬送する一対の走行ベルト２２，２２を備え、前記一対の走行ベルト２２，２２の間で挟持したガラスびんＧを一列に整列させつつ搬送するものである。
【０００４】
上記ガラスびん整列コンベア装置２１は、前記断面略Ｖ字状の搬送面の延長線上に位置して傾斜するように、前記走行ベルト２２，２２の外側に左右一対のガイド板２３，２３をさらに備え、当該左右のガイド板２３，２３上には、軸線０を中心として回動自在の複数の整列板２４が前記ガラスびんＧの搬送方向に沿って千鳥状に配備されている。
【０００５】
上記ガラスびん整列コンベア装置２１によれば、上流側から供給されるガラスびんＧは、前記走行ベルト２２，２２によって搬送されるに伴い、自重によって断面略Ｖ字状の搬送面の間に入り込み、その軸線が搬送方向と一致する姿勢を安定姿勢として、徐々に一列に整列されつつ搬送される。
【０００６】
図９及び図１０は、図８のガラスびん整列コンベア装置において、ガラスびんＧを整列させる様子の説明図を示す。
上記ガラスびん整列コンベア装置２１は、図９（ａ）から（ｃ）に時系列的に示すように、走行ベルト２２上に位置するガラスびんＧ１に重なり、ガイド板２３上を、前記ガラスびんＧ１に引きずられるようにして搬送されるガラスびんＧ２に、前記整列板２４の前面及び走行ベルト側先端によって搬送抵抗を付与することで、前記重なりを解消し、当該ガラスびんＧ２を前記走行ベルト２２上に整列させることができる。
【０００７】
一方で、図１０（ａ）から（ｃ）に時系列的に示すように、上記ガラスびん整列コンベア装置２１は、後続のガラスびんＧ３が前記ガイド板２３上を引きずれられるガラスびんＧ２と間隔を置くことなく前記走行ベルト２２上に位置する場合、前記ガラスびんＧ２が、前記整列板２４の搬送抵抗により反転し、前記後続のガラスびんＧ３に重なってしまう問題がある。
【先行技術文献】
【特許文献】
【０００８】
【特許文献１】特開２００２−２１１７４２号公報
【発明の概要】
【発明が解決しようとする課題】
【０００９】
そこで、本発明は、より確実に複数の容器を一列に整列させることができる容器の整列搬送装置を提供することを目的とする。
【課題を解決するための手段】
【００１０】
上記目的を達成するため、本発明は、複数の容器を一列に整列させつつ搬送する容器の整列搬送装置であって、前記容器を搬送する断面略Ｖ字状の搬送面を構成する一対の搬送ベルトと、該一対の搬送ベルトの両側であって、前記搬送面の延長線上に隣接して配置される一対の側板と、該側板表面に直交する軸線を中心に回動可能に支持されるとともに、該側板表面に平行に、かつ前記搬送ベルト側であって前記容器の搬送方向下流側に向けて斜めに延びるように配置される整列棒と、を備えることを特徴とする。
【００１１】
本発明は、前記整列棒が、前記容器の搬送方向上流側に位置する前面が該整列棒の軸直断面において楕円弧状の曲面からなることが好ましい。
【００１２】
本発明は、前記側板表面に直交する軸線を中心に回動可能に支持されるとともに、該側板表面に平行に、かつ前記搬送ベルト側であって前記容器の搬送方向下流側に向けて斜めに延びるように配置され、前記容器の搬送方向上流側に位置する前面が前記側板表面に対し略垂直な平面からなる整列板を、前記整列棒よりも前記容器の搬送方向上流側に備えることが好ましい。
【００１３】
本発明は、前記整列板が、前記平面からなる前面及び前記搬送ベルト側先端で前記容器に抵抗を与える一方、前記整列棒は、前記曲面からなる前面及び前記搬送ベルト側先端で前記容器に抵抗を与えるとともに、前記曲面からなる前面に掬われるようにして該整列棒に乗り上げる容器に当該整列棒の上面で抵抗を与えることが好ましい。
【００１４】
本発明は、前記整列棒が、前記容器の搬送方向に向けて前記一対の側板上に交互に複数支持されることが好ましい。
【発明の効果】
【００１５】
本発明の容器の整列搬送装置は、側板表面に直交する軸線を中心に回動可能に支持されるとともに、該側板表面に平行に、かつ搬送ベルト側であって容器の搬送方向下流側に向けて斜めに延びるように配置される整列棒を備えるので、前記搬送ベルトの搬送面上に位置する容器に重なり、前記側板上を前記搬送面上に位置する容器に重なった状態で搬送される容器に、前記整列棒の前面及び搬送ベルト側先端によって抵抗を与えることで、前記容器の重なりを解消し、複数の容器を一列に整列させることができる。
【００１６】
また、本発明の容器の整列搬送装置は、前記整列棒の前面が該整列棒の軸直断面において楕円弧状の曲面からなるので、後続の容器が前記側板上を前記重なった状態で搬送される容器と間隔を置くことなく前記搬送面上に位置する場合でも、前記側板上を搬送される容器が前記曲面からなる前面に掬われるようにして前記整列棒に乗り上げることで該容器の反転が回避され、前記容器に前記整列棒の上面で抵抗を与えることで、前記容器の重なりを徐々に解消することができる。
【００１７】
本発明の容器の整列搬送装置は、前記容器の搬送方向上流側に位置する前面が前記側板表面に対し略垂直な平面からなる整列板を、前記整列棒よりも前記容器の搬送方向上流側に備えることとすれば、複数の容器が複雑に重なり合って搬送される場合でも、前記容器に前記整列板の前面及び搬送ベルト側先端によって大きな抵抗を与えることで、前記整列棒による整列に先立って、前記複数の容器の重なりを解消し、又は重なり度合いを軽減することができる。
【００１８】
本発明の容器の整列搬送装置は、前記整列棒が、前記容器の搬送方向に向けて前記一対の側板上に交互に複数支持されることとすれば、前記容器は蛇行しながら搬送されることとなり、前記整列棒による整列効果と相俟って、複数の容器をより確実に一列に整列させることができる。
【図面の簡単な説明】
【００１９】
【図１】本発明の実施の形態における容器の整列搬送装置の概略側面図。
【図２】本発明の実施の形態における容器の整列搬送装置の概略平面図。
【図３】整列板の概略説明図。
【図４】整列棒の概略説明図。
【図５】整列板によりガラスびんを整列させる様子の概略説明図。
【図６】整列棒によりガラスびんを整列させる様子の概略説明図。
【図７】図１における容器の整列搬送装置に対し前工程から容器を供給する供給装置の概略説明図。
【図８】従来のガラスびん整列コンベア装置の概略説明図。
【図９】従来のガラスびん整列コンベア装置において整列板によりガラスびんを整列させる様子の説明図。
【図１０】従来のガラスびん整列コンベア装置において整列板によりガラスびんを整列させる様子の説明図。
【発明を実施するための形態】
【００２０】
本発明の実施の形態を図面に基づいて説明する。なお、ここでは、ガラスびんを整列搬送する場合を例として説明する。
【００２１】
図１は、本発明の実施の形態における容器の整列搬送装置の概略側面図を示す。図２は、本発明の実施の形態における容器の整列搬送装置の概略平面図を示す。図３は整列板の概略説明図であって図１のＡ−Ａ方向から見た図を示す。図４は整列棒の概略説明図であって図１のＢ−Ｂ方向から見た図を示す。
本実施の形態における容器の整列搬送装置１は、図１及び図２において、前工程の供給装置１１から供給されるガラスびんを左下方から右上方へ搬送する一対の搬送ベルト２，２と、該一対の搬送ベルト２，２の両側に配設される一対の側板３，３とを備える。
ここで、前記供給装置１１は、小さなガラスびんを選別排除する振動コンベア１２を有する。そして、該振動コンベア１２の排出側端部には、前記選別後のガラスびんを後工程の前記整列搬送装置１に供給するホッパ１３が設けられる。
【００２２】
図３及び図４に示すように、前記一対の搬送ベルト２，２は、中央に若干の隙間を有し、断面略Ｖ字状の搬送面を形成するように配置される。
また、前記一対の側板３，３は、該側板３，３の表面が前記各搬送ベルト２，２の搬送面の延長線上に位置するよう、前記各搬送ベルト２，２に隣接して配設される。
【００２３】
図１乃至図３に示すように、前記一対の側板３，３上には、該側板３，３の表面に直交する軸Ｏを中心に回動可能に支持されるとともに、搬送ベルト２，２側への自重による回動がストッパ（図示省略）によって制限される一組の整列板５，５が、前記側板３，３表面に平行に、かつ前記搬送ベルト２，２側であって前記ガラスびんの搬送方向下流側に向けて斜めに延びるように配置される。
【００２４】
前記整列板５，５は、金属等の剛性のある材料からなる平板であり、前記ガラスびんの搬送方向上流側に位置する前面が前記側板３，３表面に対し略垂直な平面となるよう配置され、前記側板３，３表面及び前記搬送ベルト２，２の搬送面に接触しないよう、前記各表面と若干の隙間を設けた状態で、前記ガラスびんの搬送方向に向けて前記一対の側板３，３上に交互に支持されている。
【００２５】
図２及び図４に示すように、前記整列板５，５よりも前記ガラスびんの搬送方向下流側であって、前記一対の側板３，３上には、該側板３，３の表面に直交する軸Ｏを中心に回動可能に支持されるとともに、搬送ベルト２，２側への自重による回動がストッパ（図示省略）によって制限される二組の整列棒６，６が、前記側板３，３表面に平行に、かつ前記搬送ベルト２，２側であって前記ガラスびんの搬送方向下流側に向けて斜めに延びるように配置される。
【００２６】
前記整列棒６，６は、金属等の剛性のある材料からなる断面円形の棒であり、前記ガラスびんの搬送方向上流側に位置する前面が該整列棒の軸直断面において円弧状の曲面からなるものであって、前記側板３，３表面及び前記搬送ベルト２，２の搬送面との間に、前記整列板５，５と略同じだけの隙間を設けた状態で、前記ガラスびんの搬送方向に向けて前記一対の側板３，３上に交互に支持されている。
【００２７】
図５は、本実施の形態における容器の整列搬送装置において、整列板によりガラスびんを整列させる様子の概略説明図であって、（ａ）は搬送方向に直交する上方側から見た図、（ｂ）は搬送方向下流側から見た図を示す。
図５（ａ）及び（ｂ）に示すように、本実施の形態における容器の整列搬送装置において、搬送ベルト２，２の搬送面上に位置するガラスびんＧ１に重なり、側板３上を前記ガラスびんＧ１に重なった状態で搬送されるガラスびんＧ２は、前記側板３表面に対し略垂直な平面からなる前記整列板５の前面に当接する。そして、前記ガラスびんＧ２は、該整列板５の前面及び搬送ベルト側先端によって大きな抵抗を与えられる結果、前記ガラスびんＧ１との重なりが解消され、又は前記ガラスびんＧ１との重なり度合いが軽減される。
【００２８】
図６は、本実施の形態における容器の整列搬送装置において、整列棒によりガラスびんを整列させる様子を示す概略説明図であって、（ａ）は搬送方向に直交する上方側から見た図、（ｂ）は搬送方向下流側から見た図を示す。
本実施の形態における容器の整列搬送装置において、搬送ベルト２，２の搬送面上に位置するガラスびんＧ１に重なり、側板３上を前記ガラスびんＧ１に重なった状態で搬送されるガラスびんＧ２は、円弧状の曲面からなる前記整列棒６の前面及び搬送ベルト側先端によって、前記整列板５よりも小さな抵抗を与えられる結果、前記ガラスびんＧ１との重なりが解消され又は前記ガラスびんＧ１との重なり度合いが軽減される。
【００２９】
また、図６（ａ）及び（ｂ）に示すように、本実施の形態における容器の整列搬送装置において、後続のガラスびんＧ３が、前記側板３上を前記重なった状態で搬送されるガラスびんＧ２と間隔を置くことなく前記搬送面上に位置する場合には、前記整列棒６の前面が円弧状の曲面からなるので、前記側板３上を搬送されるガラスびんＧ２は、前記曲面からなる前面に掬われるようにして前記整列棒６に乗り上げることで反転することがなく、前記整列棒６の上面により抵抗を与えられる結果、前記重なりが徐々に解消される。
ここで、前記整列棒６は、断面円形の棒に限定されるものでなく、断面半円形や断面楕円形など、前記ガラスびんの搬送方向上流側に位置する前面が、該整列棒６の軸直断面において楕円弧（円弧を含む）状の曲面からなる棒を用いることができる。また、前記整列棒６は、断面三角形や断面楔形など、前記ガラスびんの搬送方向上流側に位置する前面が、該整列棒６の軸直断面において前記ガラスびんが掬われて当該整列棒６に乗り上げることができる形状からなる棒を用いることもできる。
【００３０】
上記本実施の形態における容器の整列搬送装置は、整列板５と整列棒６を搬送方向に沿って順に配置する構成とすることで、前記整列板５によりガラスびんに大きな抵抗を与え、次に前記整列棒６により前記整列板５よりも小さな抵抗を与えて、ガラスびんの重なりを段階的に解消することができるので、複数のガラスびんを効率よく一列に整列させることができる。
また、上記本実施の形態では、整列板５と整列棒６を、ガラスびんの搬送方向に向けて一対の側板上に交互に複数支持されるものとしたので、前記ガラスびんが蛇行しながら搬送されることとなり、前記整列板５及び整列棒６による整列効果と相俟って、複数のガラスびんをより確実に一列に整列させることができる。
【００３１】
上記本実施の形態における容器の整列搬送装置において、前記整列板５及び整列棒６の配置本数は任意に設定することができる。
また、上記本実施の形態における容器の整列搬送装置において、前記整列板５は必ずしも設ける必要はなく、前記整列棒６のみを配置して容器を整列させることもできる。
さらに、上記本実施の形態における容器の整列搬送装置では、ガラスびんを左下方から右上方へ搬送することとしたが、ガラスびんを平面内において左から右へ搬送することとしてもよい。
【００３２】
次に、図７は、図１における容器の整列搬送装置に対し前工程から容器を供給する供給装置の概略説明図であって、（ａ）はホッパに１本のガラスびんが供給される状態、（ｂ）はホッパに連続して複数のガラスびんが供給された状態を示す。
本実施の形態における容器の整列搬送装置の前工程には、小さなガラスびんをふるい落とすことができる供給装置１１が設けられる。前記供給装置１１は、ガラスびんの搬送方向に平行な隙間を設けた振動コンベア１２を有し、前記隙間から小さなガラスびんを落下させる。そして、前記振動コンベア１２で選別された一定の大きさ以上のガラスびんが、該振動コンベア１２の排出側端部に設けられるホッパ１３を介して、前記整列搬送装置に供給される。
【００３３】
図７（ａ）及び（ｂ）に示すように、前記ホッパ１３は、高密度ポリエチレン樹脂等からなる一枚の板材から構成され、該板材の一端側両側部が、前記振動コンベア１２の排出側端部の両側部に設けられるピン１４に対し回動可能に取り付けられる一方、他端側が筒状に丸められ、該他端側の両端部がピン１５により回動可能に固定されている。
したがって、前記ホッパ１３は、図７（ａ）と図７（ｂ）に対比して示すように、ガラスびんの供給状態によって形状が変形し、前記ガラスびんを詰まらせることがない。
【００３４】
なお、本実施の形態における容器の整列搬送装置において、前工程への前記供給装置の設置は任意であって、必ずしも設ける必要はない。
【００３５】
本発明は、上記実施の形態に限るものでなく、発明の範囲を逸脱しない限りにおいてその構成を適宜変更できることはいうまでもない。
【産業上の利用可能性】
【００３６】
本発明の容器の整列搬送装置は、複数の容器を一列に整列させつつ搬送することができるものであり、実用的な価値が高い。
【符号の説明】
【００３７】
１      整列搬送装置
２      搬送ベルト
３      側板
５      整列板
６      整列棒
１１      供給装置
１２      振動コンベア
１３      ホッパ
１４      ピン
１５      ピン
【図１】
2014005102.tif 000003
【図２】
2014005102.tif 000004
【図３】
2014005102.tif 000005
【図４】
2014005102.tif 000006
【図５】
2014005102.tif 000007
【図６】
2014005102.tif 000008
【図７】
2014005102.tif 000009
【図８】
2014005102.tif 000010
【図９】
2014005102.tif 000011
【図１０】
2014005102.tif 000012